(57)【特許請求の範囲】
【請求項１】
画像情報に対して画像処理を実行可能な撮像装置であって、
被写体を撮像して前記画像情報を出力する撮像部と、
入力操作を受け付けて操作信号を生成する操作部と、
前記操作部の操作方向に対応する操作信号に応じて、所定の前記画像処理の対象となる対象領域を設定するための領域方向又は領域範囲の幅を変更可能なように、前記対象領域を設定する対象領域設定部と、
前記領域方向及び前記領域範囲の幅に基づいて、前記対象領域に対して所定の前記画像処理を行う画像処理部と、を備え、
前記領域方向は、第１領域方向、及び前記第１領域方向に交差する第２領域方向のいずれか一方に、設定され、
前記対象領域設定部は、前記操作部が前記操作方向に連続的に操作された場合に、前記第１領域方向において前記領域範囲の幅を変更し、その後、前記第２領域方向において前記領域範囲の幅を変更する、撮像装置。
【請求項２】
前記対象領域設定部は、前記操作部が前記操作方向に連続的に操作された場合に、前記領域方向を、所定のタイミングで変更する、請求項１に記載の撮像装置。
【請求項３】
前記対象領域設定部は、前記操作部が前記操作方向とは異なる方向に操作された場合に、前記対象領域を除く領域の位置を変更可能にし、前記操作部が前記操作方向に操作された場合に、前記対象領域を除く領域の位置を変更する、請求項１又は２に記載の撮像装置。
【請求項４】
所定の前記画像処理は、前記画像情報に対するぼかし処理である、請求項１から３のいずれかに記載の撮像装置。
【請求項５】
画像情報に対して画像処理を実行可能な画像処理装置であって、
入力操作を受け付けて操作信号を生成する操作部と、
前記操作部の操作方向に対応する操作信号に応じて、所定の前記画像処理の対象となる対象領域を設定するための領域方向又は領域範囲の幅を変更可能なように、前記対象領域を設定する対象領域設定部と、
前記領域方向及び前記領域範囲の幅に基づいて、前記対象領域に対して所定の前記画像処理を行う画像処理部と、を備え、
前記領域方向は、第１領域方向、及び前記第１領域方向に交差する第２領域方向のいずれか一方に、設定され、
前記対象領域設定部は、前記操作部が前記操作方向に連続的に操作された場合に、前記第１領域方向において前記領域範囲の幅を変更し、その後、前記第２領域方向において前記領域範囲の幅を変更する、画像処理装置。
【発明の詳細な説明】
【技術分野】
【０００１】
本発明は、被写体を撮像して画像情報を生成する撮像装置に関し、撮像した画像情報に対して適用するフィルタ処理の設定を設定可能な撮像装置に関する。
【背景技術】
【０００２】
従来の撮像装置には、撮像した画像の一部にぼかし効果のあるフィルタ（ジオラマフィルタ等と呼ばれる）を施すことによって、あたかもジオラマ（ミニチュア）を撮影したかのような視覚効果を、ユーザに与えることができるものがある（例えば、特許文献１参照。）。
ジオラマフィルタは、距離差が小さい被写体を撮影する場合等に、画面の上下又は画面の左右など、画面の一部にぼかし処理を施すフィルタである。ジオラマフィルタを施すことで、ジオラマを撮影したような視角効果（現物より小さい被写体を撮影したかのような視覚効果）を、表現することができる。このような視覚効果を、ジオラマフィルタ効果（あるいはミニチュア効果）と呼ぶ。
【先行技術文献】
【特許文献】
【０００３】
【特許文献１】特開２０１１−０１０２４３号公報
【発明の概要】
【発明が解決しようとする課題】
【０００４】
ジオラマフィルタのようなフィルタを備えた撮像装置では、フィルタの設定を行うために各種の操作を行う必要があった。しかしながら、この操作をできるだけ簡単に行えるようにして欲しいという要望が、存在していた。
従来のジオラマフィルタには、ぼかし効果のフィルタをかける領域（又はかけない領域）を、使用者が設定できるものがある。ジオラマフィルタのよく知られた設定としては、画面の上下の領域をぼかし、上下方向における中央の帯状の領域をぼかさないようにするものが挙げられる。また、このタイプのジオラマフィルタでは、ぼかさない帯状の領域の上下方向における幅（ぼかす帯状の領域の幅）を設定できるものもある。このようなフィルタを施す領域の設定及びフィルタ幅の設定は、複数の釦や液晶モニタ上のアイコン等の操作によって実現されている。このため、ユーザがフィルタの設定を容易に行えないという問題があった。
【０００５】
本発明はこのような課題に鑑み、本発明の目的は、設定操作の利便性を向上可能な撮像装置を提供することにある。
【課題を解決するための手段】
【０００６】
上記課題を解決するために本発明の撮像装置は、画像情報に対して画像処理を実行可能な装置である。本撮像装置は、撮像部と、操作部と、対象領域設定部と、画像処理部とを、備えている。撮像部は、被写体を撮像して画像情報を出力する。操作部は、入力操作を受け付けて操作信号を生成する。対象領域設定部は、操作部の操作方向に対応する操作信号に応じて、所定の画像処理の対象となる対象領域を設定するための領域方向及び領域範囲の少なくともいずれか一方を変更可能なように、対象領域を設定する。画像処理部は、領域方向及び領域範囲に基づいて、対象領域に対して所定の画像処理を行う。
【発明の効果】
【０００７】
本発明によれば、設定操作の利便性が向上した撮像装置を提供することができる。
【図面の簡単な説明】
【０００８】
【図１】実施の形態１に係るデジタルカメラ１００の前面構成図
【図２】実施の形態１に係るデジタルカメラ１００の背面構成図
【図３】実施の形態１に係るデジタルカメラ１００の電気的構成図
【図４】実施の形態１に係る撮影モードにおける処理の流れを示すフローチャート
【図５】実施の形態１に係るフィルタ効果の設定処理の流れを示すフローチャート
【図６】実施の形態１に係るフィルタ効果設定時の画面表示の一例を示す図
【図７】実施の形態１に係る動画撮影開始・終了処理の流れを示すフローチャート
【図８】実施の形態１に係る静止画撮影処理の流れを示すフローチャート
【図９】他の実施の形態に係るフィルタ効果の設定処理の流れを示すフローチャート
【図１０】他の実施の形態に係るフィルタ効果設定時の画面表示の一例を示す図
【図１１】他の実施の形態に係るデジタルカメラ１００の電気的構成図
【発明を実施するための形態】
【０００９】
〔実施の形態１〕
実施の形態１のデジタルカメラ１００は、ジオラマフィルタによりジオラマフィルタ効果を施した撮影が可能である。また、デジタルカメラ１００は、撮影に先立ってフィルタによってぼかす効果をかける範囲を表示し、設定する機能を持つ。デジタルカメラ１００は、これらの機能、設定に基づいた撮影制御を行う。以下、デジタルカメラ１００の構成及び動作を説明する。
【００１０】
〔１．構成〕
以下、図を用いてデジタルカメラ１００の構成を説明する。
〔１−１．デジタルカメラ１００の構成〕
図１は、デジタルカメラ１００の前面構成図である。デジタルカメラ１００は前面に光学系１１０を納める鏡筒を備える。また、デジタルカメラ１００は上面に静止画レリーズ釦２０１やズームレバー２０２、電源釦２０３などの操作釦を備える。
【００１１】
図２は、デジタルカメラ１００の背面構成図である。デジタルカメラ１００は背面に液晶モニタ１２３や、中央釦２０４や十字釦２０５や動画レリーズ釦２０６やモード切替スイッチ２０７や設定釦２０８や設定ダイヤル２０９などの操作釦を備える。
図３は、デジタルカメラ１００の電気的構成図である。デジタルカメラ１００は、光学系１１０を介して形成された被写体像を、ＣＣＤイメージセンサ１２０によって、撮像する。ＣＣＤイメージセンサ１２０は撮像した被写体像に基づく画像情報を生成する。撮像により生成された画像情報は、ＡＦＥ（アナログ・フロント・エンド）１２１や画像処理部１２２において各種処理が施される。生成された画像情報はフラッシュメモリ１４２やメモリカード１４０に記録される。フラッシュメモリ１４２やメモリカード１４０に記録された画像情報は、使用者による操作部１５０の操作を受け付けて液晶モニタ１２３上に表示される。以下で、図１から図３に示す各構成の詳細を説明する。
【００１２】
光学系１１０は、フォーカスレンズ１１１やズームレンズ１１２、絞り１１３、シャッター１１４等により構成される。図示していないが、光学系１１０は、光学式手ぶれ補正レンズＯＩＳ（Ｏｐｔｉｃａｌ  Ｉｍａｇｅ  Ｓｔａｂｉｌｉｚｅｒ）を含んでいてもよい。なお、光学系１１０を構成する各種レンズは何枚から構成されるものでも、何群から構成されるものでもよい。
【００１３】
フォーカスレンズ１１１は被写体のフォーカス状態の調節に用いられる。ズームレンズ１１２は被写体の画角の調節に用いられる。絞り１１３は、ＣＣＤイメージセンサ１２０に入射する光量の調節に用いられる。シャッター１１４は、ＣＣＤイメージセンサ１２０に入射する光の露出時間を調節する。フォーカスレンズ１１１、ズームレンズ１１２、絞り１１３、シャッター１１４は、それぞれに対応したＤＣモータやステッピングモータ等の駆動手段により、コントローラ１３０から通知された制御信号に従って駆動される。
【００１４】
ＣＣＤイメージセンサ１２０は、光学系１１０を通して形成された被写体像を撮像して画像情報を生成する。ＣＣＤイメージセンサ１２０は、デジタルカメラ１００が撮影モードにあるとき、一定時間ごとに新しいフレームの画像情報を生成することができる。
ＡＦＥ１２１では、ＣＣＤイメージセンサ１２０から読み出された画像情報に対して相関二重サンプリングによる雑音抑圧、アナログゲインコントローラによるＡ／Ｄコンバータの入力レンジ幅への増幅、Ａ／ＤコンバータによるＡ／Ｄ変換が施される。その後、ＡＦＥ１２１は画像情報を画像処理部１２２に出力する。
【００１５】
画像処理部１２２は、ＡＦＥ１２１から出力された画像情報に対して各種の処理を施す。各種処理としては、スミア補正、ホワイトバランス補正、ガンマ補正、ＹＣ変換処理、電子ズーム処理、抽出処理、圧縮処理、伸張処理等が挙げられるが、これらに限定されるものではない。ここで抽出処理とは、ＣＣＤイメージセンサから読み出された画像情報の全体又は一部を切り出す（抽出する）処理を指す。このとき、切り出す範囲は、記録する画像情報（動画又は静止画）の横縦比に応じて決定される。記録する画像情報の横縦比に関する情報は、後述するようにフラッシュメモリ１４２に記録されている。画像処理部１２２は、各種処理を施した画像情報をバッファメモリ１２４に記憶する。画像処理部１２２は、ハードワイヤードな電子回路で構成してもよいし、プログラムを用いたマイクロコンピュータなどで構成してもよい。またコントローラ１３０などとともに１つの半導体チップで構成してもよい。
【００１６】
液晶モニタ１２３は、デジタルカメラ１００の背面に備わる。液晶モニタ１２３は、画像処理部１２２にて処理された画像情報に基づく画像を表示する。液晶モニタ１２３が表示する画像には、スルー画像や記録画像がある。スルー画像は、ＣＣＤイメージセンサ１２０により一定時間ごとに生成される新しいフレームの画像を連続して表示する画像である。通常は、デジタルカメラ１００が撮影モードにあるときに、画像処理部１２２がＣＣＤイメージセンサ１２０の生成した画像情報からスルー画像を生成する。使用者は、液晶モニタ１２３に表示されるスルー画像を参照することにより、被写体の構図を確認しながら撮影できる。記録画像は、デジタルカメラ１００が再生モードにあるときに、メモリカード１４０等に記録された高画素の画像を液晶モニタ１２３に表示するために低画素に縮小した画像である。メモリカード１４０に記録される高画素の画像情報は、使用者によるレリーズ釦２０１の操作を受け付けた後に、ＣＣＤイメージセンサ１２０が生成した画像情報に基づいて画像処理部１２２により生成される。
【００１７】
コントローラ１３０は、デジタルカメラ１００全体の動作を統括制御する。また、コントローラ１３０は、画像処理部１２２で処理された後バッファメモリ１２４に記憶された画像情報を、メモリカード１４０等の記録媒体へ記録する。コントローラ１３０は、プログラム等の情報を格納するＲＯＭや、プログラムを実行することにより各種情報を処理するＣＰＵなどにより構成される。ＲＯＭは、ファイル制御、オートフォーカス制御（ＡＦ制御）や自動露出制御（ＡＥ制御）の他、デジタルカメラ１００全体の動作を統括制御するためのプログラムを格納している。
【００１８】
コントローラ１３０は、ハードワイヤードな電子回路で構成してもよいし、マイクロコンピュータなどで構成してもよい。また、画像処理部１２２などと共に１つの半導体チップで構成してもよい。また、ＲＯＭはコントローラ１３０の内部構成である必要はなく、コントローラ１３０の外部に備わったものでもよい。
バッファメモリ１２４は、画像処理部１２２やコントローラ１３０のワークメモリとして機能する記憶手段である。バッファメモリ１２４はＤＲＡＭ（Ｄｙｎａｍｉｃ  Ｒａｎｄｏｍ  Ａｃｃｅｓｓ  Ｍｅｍｏｒｙ）などで実現できる。また、フラッシュメモリ１４２は、画像情報及び設定情報等を記録するための内部メモリとして機能する。例えば、ジオラマフィルタを使った撮影での設定情報である設定範囲情報としては、ジオラマフィルタにおいてぼかし処理をかけない範囲の方向が上下か左右かのフラグである方向フラグ、ぼかし処理をかけない範囲の幅の情報である設定幅値などが挙げられる。これらの設定範囲情報の詳細については後述する。この他、ジオラマフィルタに関する設定情報としては、画像情報に対してジオラマフィルタ効果をかけるかどうかを示すオンオフフラグがフラッシュメモリ１４２に記録される。
【００１９】
カードスロット１４１は、メモリカード１４０を着脱可能な接続手段である。カードスロット１４１は、メモリカード１４０を電気的及び機械的に接続可能である。また、カードスロット１４１は、メモリカード１４０を制御する機能を備えてもよい。
メモリカード１４０は、内部にフラッシュメモリ等の記録部を備えた外部メモリである。メモリカード１４０は、画像処理部１２２で処理される画像情報などのデータを記録可能である。
【００２０】
操作部１５０は、デジタルカメラ１００の外装に備わっている操作釦や操作ダイヤルの総称であり、使用者による操作を受け付ける。例えば図１や図２に示した静止画レリーズ釦２０１や、動画レリーズ釦２０６、ズームレバー２０２、電源釦２０３、中央釦２０４、十字釦２０５、モード切替スイッチ２０７、設定釦２０８、設定ダイヤル２０９などがこれにあたる。操作部１５０は使用者による操作を受け付けると、コントローラ１３０に種々の動作指示信号を通知する。コントローラ１３０は、動作指示信号に応じて各部を制御する。
【００２１】
静止画レリーズ釦２０１は、半押し状態と全押し状態の二段階押下式釦である。静止画レリーズ釦２０１が使用者により半押しされると、コントローラ１３０は、ＡＦ（Ａｕｔｏ  Ｆｏｃｕｓ）制御や、ＡＥ（Ａｕｔｏ  Ｅｘｐｏｓｕｒｅ）制御を実行し撮影条件を決定する。続いて、静止画レリーズ釦２０１が、使用者により全押しされると、コントローラ１３０は、撮影処理を行う。コントローラ１３０は、全押しのタイミングに撮像された画像情報を静止画像としてメモリカード１４０等に記録する。以下、単に静止画レリーズ釦２０１を押下すると記載する場合は、全押しを示すものとする。
【００２２】
動画レリーズ釦２０６は、動画記録の開始／終了を指示するための押下式釦である。動画レリーズ釦２０６が使用者によって押下されると、コントローラ１３０は、ＣＣＤイメージセンサ１２０が生成した画像情報に基づいて画像処理部１２２により生成された画像情報を動画像として順次、メモリカード１４０等の記録媒体に記録する。再度、動画レリーズ釦２０６を押下すると、動画像の記録が終了する。
【００２３】
ズームレバー２０２は画角を広角端と望遠端との間で調節するための中央位置自己復帰式のレバーである。ズームレバー２０２は、使用者により操作されるとコントローラ１３０にズームレンズ１１２を駆動するための動作指示信号を通知する。すわなち、ズームレバー２０２が広角端側に操作されると、コントローラ１３０は、被写体を広角で捉えられるようにズームレンズ１１２を駆動する。同様に、ズームレバー２０１が望遠端側に操作されると、コントローラ１３０は、被写体を望遠で捉えられるようにズームレンズ１１２を駆動する。
【００２４】
電源釦２０３は、デジタルカメラ１００を構成する各部への電力供給をＯＮ／ＯＦＦするための押下式釦である。電源ＯＦＦ時に電源釦２０３が使用者により押下されると、コントローラ１３０はデジタルカメラ１００を構成する各部に電力を供給し、起動させる。また、電源ＯＮ時に電源釦２０３が使用者により押下されると、コントローラ１３０は各部への電力供給を停止する。
【００２５】
中央釦２０４は、押下式釦である。デジタルカメラ１００が撮影モードあるいは再生モードにあるときに、中央釦２０４が使用者により押下されると、コントローラ１３０は液晶モニタ１２３にメニュー画面を表示する。メニュー画面は、撮影／再生のための各種条件を設定するための画面であり、シャッター音のオン、オフ切替、ジオラマフィルタ効果のオン、オフ切替等の設定を行える。メニュー画面で設定された情報は、フラッシュメモリ１４２に記録される。各種条件の設定項目が選択されているときに押下されると、中央釦２０４は決定釦としても機能する。
【００２６】
十字釦２０５は、上下左右方向に設けられた押下式釦である。使用者は、十字釦２０５のいずれかの方向を押下することにより、液晶モニタ１２３に表示される各種条件項目を選択することができる。
モード切替スイッチ２０７は、上下方向に設けられた押下式釦である。使用者はモード切替スイッチ２０７のいずれかの方向を押下することにより、デジタルカメラ１００の状態を、撮影モード、再生モードに切り替えることができる。
【００２７】
設定釦２０８は、ジオラマフィルタ効果を得るためのジオラマフィルタの効果設定を行う際に押下する押下式釦である。ジオラマフィルタ効果をオンにした撮影モードの待機状態において、設定釦２０８が押下されると、コントローラ１３０は液晶モニタにジオラマフィルタのフィルタ効果設定のための画面を表示する。フィルタ効果設定の詳細については後述する。
【００２８】
設定ダイヤル２０９は、左右方向の回転を感知するダイヤルである。設定ダイヤル２０９は、デジタルカメラ１００の背面の面内で回転可能なように、中央釦２０４及び十字釦２０５を取り囲むように配置される。設定ダイヤル２０９は、中央釦２０４や設定釦２０８の押下により液晶モニタ１２３に表示されたメニューの各種条件設定において、回転により選択肢を選択可能なダイヤルである。
【００２９】
〔１−２．本発明との対応〕
ＣＣＤイメージセンサ１２０は、撮像部の一例である。コントローラ１３０は、対象領域設定部の一例である。
設定ダイヤル２０９の回転方向（左右方向）は、第１方向の一例である。ジオラマフィルタにおいてぼかし処理をかけない範囲の方向についての上下方向及び左右方向は、第２方向及び第３方向の一例である。
【００３０】
〔２．動作〕
〔２−１  デジタルカメラ１００のジオラマフィルタ効果のオン、オフ〕
ここでは、デジタルカメラ１００におけるジオラマフィルタ効果のオンオフ切替について説明する。デジタルカメラ１００のモードが、モード切替スイッチ２０７の操作により、撮影モードに移行している場合に、中央釦２０４が使用者により押下されると、コントローラ１３０は、液晶モニタ１２３にメニュー画面を表示する。メニュー画面は、撮影／再生のための各種条件を設定するための画面である。使用者は、十字釦２０５又は設定ダイヤル２０９を操作することによって、ジオラマフィルタ効果のオンオフ切替設定メニューを呼び出し、ジオラマフィルタ効果をオン又はオフに設定する。ジオラマフィルタ効果のオンオフ設定は、ジオラマオンオフフラグとして、フラッシュメモリ１４２に、記録される。コントローラ１３０は、現在の設定、すなわちジオラマフィルタ効果がオンであるか否かを、フラッシュメモリ１４２に記録されたオンオフフラグを参照し、判断する。フィルタが設定された場合、この結果（オン又はオフ）は、オンオフフラグとしてフラッシュメモリ１４２に記録される。オンに設定された場合は、撮影モードにおいてジオラマフィルタ効果のかかった撮影が可能になる。ジオラマフィルタ効果オンでの、効果設定動作、撮影動作については以下で説明する。
【００３１】
〔２−２  デジタルカメラ１００のジオラマフィルタ設定、撮影動作〕
まず、デジタルカメラ１００の撮影制御について説明する。図４は、デジタルカメラ１００の撮影モード時の撮影制御のフローチャートである。デジタルカメラ１００は、撮影モードにおいて動画及び静止画の撮影を行うことができる。
使用者のモード切替スイッチ２０７の操作により、デジタルカメラ１００が撮影モードに移行した場合、コントローラ１３０は、デジタルカメラ１００全体の動作を撮影モードに切り替える。撮影モードにおいてコントローラ１３０は、まず静止画像／動画像記録に必要な初期化処理を、行う（Ｓ４０１）。
【００３２】
初期化完了後、コントローラ１３０は、使用者からの入力に対応する、設定処理及び表示処理を、繰り返す。これらの処理は、モード切替スイッチ２０７の状態の確認（Ｓ４０３）、ジオラマフィルタ効果のオンオフ確認（Ｓ４１２）、設定釦２０８の押下の監視（Ｓ４０４）、フィルタ効果の設定処理（Ｓ４０６）、スルー画像の表示（Ｓ４０８）、動画レリーズ釦２０６の押下の監視（Ｓ４０５）、及び静止画レリーズ釦２０１の押下の監視（Ｓ４０９）を、含んでいる。
【００３３】
ここでは、Ｓ４０３において、モード切替スイッチ２０７の状態が、撮影モードである場合（Ｓ４０３でＹｅｓ）、コントローラ１３０は、上記の、Ｓ４１２、Ｓ４０４、Ｓ４０６、Ｓ４０８、Ｓ４０５、及びＳ４０９の少なくともいずれか１つの処理を、実行する。なお、ステップＳ４０３において、モード切替スイッチ２０７の状態が、撮影モードでなかった場合（Ｓ４０３でＮｏ）、撮影モードの処理を終了する。なお、Ｓ４１２において、ジオラマフィルタ効果がオンでない場合、Ｓ４０８の処理が実行される。
【００３４】
コントローラ１３０は、ステップＳ４０４において設定釦２０８の押下を監視し、設定釦２０８が押下された場合は、モードを設定モードに移行させ、フィルタ効果の設定処理を行う（Ｓ４０６）。ここで、使用者が操作ダイヤル２０９を操作すると、ジオラマフィルタ効果範囲が設定される。例えば、この操作によって、効果をかける範囲（効果範囲）が設定される。より具体的には、コントローラ１３０は、効果範囲の上下方向の幅及び左右方向の幅を設定する。その後、コントローラ１３０は、フィルタ効果の設定処理で施された設定値に基づいて、ジオラマフィルタを施したスルー画像の表示処理を、行う（Ｓ４０８）。フィルタ効果の設定処理の詳細については、図５のフローチャートを用いて説明する。一方で、設定釦２０８が押下されていない場合は、コントローラ１３０は、ジオラマフィルタ効果の設定処理を行わず、現在の設定値にてジオラマフィルタを施したスルー画像の表示処理を、行う（Ｓ４０８）。
【００３５】
また、ステップＳ４０５において、動画レリーズ釦２０６の押下を検知すると、コントローラ１３０は、動画撮影開始・終了処理を行う（Ｓ４０７）。また、コントローラ１３０は、ステップＳ４０９において静止画レリーズ釦２０１の押下を検知すると、静止画撮影処理を、行う（Ｓ４１１）。動画撮影開始・終了処理の詳細については、図７のフローチャートを用いて説明する。静止画撮影処理の詳細については図８のフローチャートを用いて説明する。
【００３６】
次に、デジタルカメラ１００のジオラマフィルタ効果の設定処理について説明する。図５は、ジオラマフィルタ効果の設定処理の流れを示すフローチャートである。図６は、ジオラマフィルタ効果設定時の画面表示の一例を示す図である。コントローラ１３０は、方向フラグ及び設定幅値の初期値として「上下」及び「最小」を設定し、ジオラマフィルタ効果の設定処理を開始する。上述したように、方向フラグは、ジオラマフィルタにおいてぼかし処理をかけない範囲の方向が、「上下」であるか「左右」であるかを識別するためのフラグである。ここで「上下」とは、画面の上下方向でぼかし具合が変化することを指す。また、「左右」とは、画面の左右方向でぼかし具合が変化することを指す。設定幅値は、ぼかし処理をかけない範囲の幅の情報である。本実施の形態では、設定幅値としては３段階、すなわち「最小」「中間」「最大」の３つのうちのいずれかであるものとする。
【００３７】
本実施の形態においては、方向フラグと設定幅値との組み合わせにより、図６の画面６０１〜６０６が示すように、６通りのジオラマフィルタが施される。画面６０１、６０２及び６０３は、方向フラグが「上下」である場合の画面表示例である。画面６０４、６０５及び６０６は、方向フラグが「左右」である場合の画面表示例である。画面６０１及び６０６は、設定幅値が「最小」である場合の画面表示例である。画面６０２及び６０５は、設定幅値が「中間」である場合の画面表示例である。画面６０３及び６０４は、設定幅値が「最大」である場合の画面表示例である。
【００３８】
例えば、画面６０１は、方向フラグが「上下」、設定幅値が「最小」であるときのジオラマフィルタの効果設定の状況を、示している。この場合、画面を上下方向に３分割し、上部及び下部をぼかし処理を行う範囲６０８ａとし、これらに挟まれた中央部をぼかし処理を行わない範囲６０８ｂとする。スルー画像表示、静止画撮影、及び動画撮影を行う場合には、範囲６０８ａにのみ、ぼかし処理が行われる。
【００３９】
コントローラ１３０は、まず、画像処理部１２２を制御することにより、スルー画像の表示処理を行い（Ｓ５０１）。次に、コントローラ１３０は、画像処理部１２２を制御することにより、このスルー画像の上に、フィルタ効果範囲を示す設定枠を、表示する（Ｓ５０２）。この設定枠は、具体的には、ジオラマフィルタにおいて、ぼかし処理をかけない領域６０８ｂを囲む矩形状の枠である。方向フラグが「上下」であり、且つ設定幅値が「最小」である場合、図６の画面６０１のような設定枠が、表示される。図６の画面６０１の設定枠は、左右方向の長さが画面幅と等しく、且つ上下方向の長さが画面６０１、６０２及び６０３の中で最も小さく設定されている。
【００４０】
続いて、中央釦２０４が押下されず、設定が継続される場合は（Ｓ５０３でＮｏ）、コントローラ１３０は、設定ダイヤル２０９の回転を検出する（Ｓ５０４）。使用者が設定ダイヤル２０９を回転した場合は、その回転を感知し、フィルタ効果範囲の決定処理を開始する。回転に変化がなければ、処理の開始に戻る。
例えば、設定ダイヤル２０９が右に回された場合は、コントローラ１３０は、フィルタ効果範囲の方向フラグが「上下」であるか否かを判断する（Ｓ５０５１）。ここで、コントローラ１３０が、方向フラグが「上下」であると判断した場合（Ｓ５０５１で上下）、設定ダイヤル２０９の動きに連動して、フィルタ効果範囲の設定幅値を大きくする（Ｓ５０７１）。これにより、フィルタ効果範囲の設定幅が広げられる。
【００４１】
例えば、現在の方向フラグが「上下」、設定幅値が「最小」である場合、すなわち画面６０１の状態である場合、コントローラ１３０は、設定幅値を一段階広げ（Ｓ５０６１でＮｏ，Ｓ５０７１）、設定幅を「中間」に設定する（画面６０２）。なお、設定幅値がすでに「最大」に達している場合（Ｓ５０６１でＹｅｓ）（画面６０３）、コントローラ１３０は、方向フラグを、「上下」から「左右」に変更し、設定幅値を「最大」の状態で維持する（Ｓ５０８１）（画面６０４）。一方で、コントローラ１３０が、方向フラグが「左右」であると判断した場合（Ｓ５０５１で左右）、設定幅値が「最小」に達していなければ（Ｓ５０９１でＮｏ）、コントローラ１３０は、設定幅値を一段階狭め、設定幅を「中間」に設定する（Ｓ５１０１）（画面６０３）。なお、設定ダイヤル２０９が右に回されたときに、方向フラグが「左右」でかつ設定幅値が「最小」である場合（ＳＳ５０９１でＹｅｓ）は、コントローラ１３０は、それ以上設定を変更しない（何もしない）。
【００４２】
一方、設定ダイヤル２０９が左に回された場合は、コントローラ１３０は、フィルタ効果範囲の方向フラグが「左右」であるか否かを判断する（Ｓ５０５２）。ここで、コントローラ１３０が、方向フラグが「左右」であると判断した場合は、設定ダイヤル２０９の動きに連動して、フィルタ効果範囲の設定幅値を大きくする（Ｓ５０７２）（画面６０５）。これにより、フィルタ効果範囲の設定幅が広げられる。なお、設定幅値がすでに「最大」に達している場合（Ｓ５０６２）（画面６０４）、コントローラ１３０は、方向フラグを「左右」から「上下」に変更する。このとき、コントローラ１３０は、設定幅値を「最大」の状態で維持する（Ｓ５０８２）（画面６０３）。一方で、コントローラ１３０が、方向フラグが「上下」であると判断した場合は（Ｓ５０５２）、設定幅値が「最小」に達していなければ（Ｓ５０９２）、コントローラ１３０は、設定幅値を一段階狭める（Ｓ５１０２）（画面６０２）。なお、設定ダイヤル２０９が左に回されたときに方向フラグが「上下」でかつ設定幅値が「最小」である場合は、それ以上設定を変更しない（何もしない）。
【００４３】
以上の処理は、コントローラ１３０によって繰り返し実行される。これらの処理は、スルー画像表示処理（Ｓ５０１）、設定枠表示処理（Ｓ５０２）、中央釦２０４の押下確認処理（Ｓ５０３）、設定ダイヤル回転確認処理（Ｓ５０４）、Ｓ５０４に続くフィルタ方向設定処理及び設定幅の調整処理を、含んでいる。これら繰返し処理は、Ｓ５０３において中央釦２０４の押下が確認されると、終了する。すなわち、中央釦２０４が押下されると、設定モードが終了する。処理の終了時には、コントローラ１３０は、フィルタ効果の設定処理にて設定された設定範囲情報である方向フラグ及び設定幅値を、フラッシュメモリ１４２に記録する。
【００４４】
図７は、動画撮影開始・終了処理の流れを示すフローチャートである。動画撮影開始・終了処理では、コントローラ１３０は、使用者による動画レリーズ釦２０６の押下を検知すると、デジタルカメラ１００の記録動作の状態が動画記録中であるか否かを判断する（Ｓ７０１）。デジタルカメラ１００の記録動作の状態が動画記録中でない場合（Ｓ７０１でＮｏ）、コントローラ１３０は、画像処理部１２２に対して動画記録開始指示を行う（Ｓ７０５）。動画記録開始指示を受けた画像処理部１２２は、フラッシュメモリ１４２からジオラマフィルタの設定範囲情報を取得する。そして、画像処理部１２２は、取得した範囲にジオラマフィルタを施した動画の記録を、開始する。本実施の形態でのジオラマフィルタは、方向フラグ及び設定幅値が示す、ぼかし処理をかける範囲６０８ａに対して、ローパスフィルタを施し、ぼかし処理をかけない範囲６０８ｂに対してはローパスフィルタを施さないようなフィルタである。
【００４５】
続いて、ＣＣＤイメージセンサ１２０が生成した画像情報に基づいて、画像処理部１２２により生成された画像情報が、動画像として、順次、メモリカード１４０等の記録媒体に、記録される。この処理は、コントローラ１３０が画像処理部１２２に対して動画記録開始を指示した時から、コントローラ１３０が画像処理部１２２に対して動画記録停止を指示するまでの間において、実行される。
【００４６】
記録開始時には、画像処理部１２２は、フラッシュメモリ１４２から、ジオラマフィルタの設定範囲情報を、取得する。そして、画像処理部１２２は、ＣＣＤイメージセンサ１２０が生成した画像情報において、動画のジオラマフィルタ設定範囲に対して、ジオラマフィルタ処理を実施する。そして、画像処理部１２２は、ジオラマフィルタ処理後の画像情報から、全体又は一部を切り出して、この画像情報を、メモリカード１４０等の記録媒体に記録する。なお、デジタルカメラ１００の記録動作の状態が、動画記録中である場合（Ｓ７０１でＮｏ）、コントローラ１３０は、画像処理部１２２に対して動画記録停止指示を行う（Ｓ７０９）。
【００４７】
図８は、静止画撮影処理の流れを示すフローチャートである。コントローラ１３０は、使用者による静止画レリーズ釦２０１の押下を検知すると、静止画レリーズ釦２０１が押下されたタイミングにおいて、ＣＣＤイメージセンサ１２０が生成した画像情報に基づいて画像処理部１２２により生成される静止画をメモリカード１４０等の記録媒体に記録する（Ｓ８０３）。画像処理部１２２は、静止画の記録にあたり、フラッシュメモリ１４２からジオラマフィルタ設定範囲情報を取得し、取得した設定範囲で画像を処理する。そして、画像処理部１２２は、処理後の画像を、メモリカード１４０等の記録媒体に、切り出して記録する。
【００４８】
以上のように、本実施形態では、使用者が、設定ダイヤル２０９を左右に回転させるのみで、左右上下のジオラマフィルタ効果範囲を簡単に設定することができ、設定にあわせた動画撮影、静止画撮影が可能となる。すなわち、本実施形態では、設定操作の利便性を向上することができる。
〔２−２  まとめ〕
（１）本実施の形態のデジタルカメラ１００は、画像情報に対して画像処理を実行可能である。デジタルカメラ１００は、ＣＣＤイメージセンサ１２０と、設定ダイヤル２０９と、コントローラ１３０と、画像処理部１２２とを、備える。ＣＣＤイメージセンサ１２０は、被写体を撮像して画像情報を出力する。設定ダイヤル２０９は、入力操作を受け付けて操作信号を生成する。コントローラ１３０は、設定ダイヤル２０９の操作方向に対応する操作信号に応じて、ジオラマフィルタ処理の対象となる対象領域を設定するための領域方向及び領域範囲の少なくともいずれか一方を変更可能なように、対象領域を設定する。画像処理部１２２は、領域方向及び領域範囲に基づいて、対象領域に対してジオラマフィルタ処理を行う。
【００４９】
この構成によって、使用者は、設定ダイヤル２０９を左右に回転させるのみで、ジオラマフィルタの効果を適用する方向と範囲を簡単に設定することができる。また、設定にあわせた動画撮影及び／又は静止画撮影が可能となるため、設定操作の利便性が向上する。
（２）本実施の形態のデジタルカメラ１００では、ジオラマ処理の対象領域を設定するための方向（領域方向の一例）が、上下方向（第１領域方向の一例）、及び左右方向（第２領域方向の一例）のいずれか一方に、設定される。この場合、コントローラ１３０は、設定ダイヤル２０９が連続的に操作された場合に、上下方向（又は左右方向）において対象領域の幅を変更し、その後、左右方向（又は上下方向）第２領域方向において対象領域の幅を変更する。
【００５０】
この構成によって、使用者は、設定ダイヤル２０９を左右に回転させるのみで、ジオラマフィルタを適用する範囲（対象領域）を連続的に変更することができる。すなわち、使用者の所望するジオラマ設定を、容易に変更することができる。
（３）本実施の形態のデジタルカメラ１００では、コントローラ１３０は、設定ダイヤル２０９が連続的に操作された場合に、ジオラマ処理の対象領域を設定するための方向を、所定のタイミングで変更する。
【００５１】
この構成によって、使用者は、設定ダイヤル２０９の連続操作中に、設定ダイヤル２０９だけで、ジオラマフィルタを適用する方向を自動的に切り換えることができる。例えば、使用者は、設定ダイヤル２０９を回転させるだけで、対象領域の幅が最大になった場合に、ジオラマ処理の対象領域を設定するための方向を切り換えることができる。
〔３．他の実施の形態〕
本発明は、上記実施の形態に限定されず、種々の実施形態が考えられる。以下、本発明の他の実施の形態について記載する。
【００５２】
（Ａ）本実施の形態のデジタルカメラ１００は、ジオラマフィルタを設定する方向（上下又は左右）と、ぼかし処理を行わない範囲の幅とを設定可能とし、ぼかし処理を行わない範囲の位置を中央に固定した。しかしながら、この位置を使用者が自由に指定できるようにしてもよい。例えば、方向フラグが「上下」である場合は、ぼかし処理を行わない範囲の位置を、上下方向に変更できるようにしてもよい。この位置は、例えば十字釦２０５や設定ダイヤル２０９の操作により、指定することができる。また、この位置は、タッチパネルにより指定できるようにしてもよい。
【００５３】
（Ｂ）本実施の形態のデジタルカメラ１００は、初期設定値を、上下設定・設定幅最小として、フィルタ効果の設定処理を開始するものとした。しかしながら、過去の設定範囲情報を記憶するようにしてもよい。この場合、設定釦２０８が押下された場合に、その設定範囲情報が読み出され、その状態から設定を開始してもよい。具体的には、設定釦２０８が押下された場合、コントローラ１３０は、フィルタ効果の設定処理を行う。ここで、まず、コントローラ１３０は、フラッシュメモリ１４２から設定範囲情報、すなわち方向フラグ及び設定幅値を、読み出す。そして、これらの値に基づいて、設定枠を、スルー画像に重畳して、液晶モニタ１２３に表示する。
【００５４】
（Ｃ）本実施の形態のデジタルカメラ１００は、フィルタ効果の設定処理において、フィルタ効果範囲を示す設定枠を、ジオラマフィルタにおいてぼかし処理をかけない領域を囲む矩形状枠として、表示するものとした。しかしながら、設定枠として、他の形態で表示してもよい。例えば、単にジオラマフィルタにおいてぼかし処理をかける領域とかけない領域との境界線を表示するようにしてもよい。
【００５５】
（Ｄ）本実施の形態のデジタルカメラ１００は、フィルタ効果の設定処理において、特定の釦を押下する等、何らかの操作で、設定情報（幅と方向）が初期化されるようにしてもよい。
（Ｅ）本実施の形態のデジタルカメラ１００は、スルー画像表示時、静止画撮影時、及び動画撮影時に、表示（記録）する画像情報に対して、ジオラマフィルタを施すものとして説明した。しかしながら、記録済みの画像情報に対する後処理として、同様の設定操作によって、ジオラマフィルタを施すことができるようにしてもよい。
【００５６】
（Ｆ）本実施の形態のデジタルカメラ１００は、ジオラマフィルタのフィルタ効果の設定処理において、上述したような設定操作を、行うものとした。しかしながら、このような設定操作の方法は、ジオラマフィルタ以外のフィルタや画像処理の際に適用してもよい。例えば、エッジ強調や色変換フィルタ等において、図６のように処理を適用する領域と適用しない領域とを選択する際に、本実施の形態の効果設定処理を適用してもよい。
【００５７】
（Ｇ）本実施の形態のデジタルカメラ１００は、デジタルカメラ１００の背面に配置された設定ダイヤル２０９を、左右に回転させることにより、ジオラマフィルタの効果設定処理を行うものとした。この設定ダイヤル２０９は、その回転軸をデジタルカメラ１００の前後方向に有している。このような設定ダイヤル２０９に代えて、回転軸をデジタルカメラの上下方向に配置したダイヤルを用いてもよい。また、液晶モニタ１２３にタッチパネルを配置し、この液晶モニタ１２３から設定操作を行うようにしてもよい。例えば、液晶モニタ１２３に円環状のオブジェクトを表示し、このオブジェクト上を使用者が指でなぞることによって、この動作の方向（右回転又は左回転）に応じて設定操作を行うようにしてもよい。
【００５８】
（Ｈ）本実施の形態のデジタルカメラ１００では、Ｓ５０９１でＹｅｓの場合は、液晶モニタ１２３の画面が図６の画面６０６で固定され、Ｓ５０９２でＹｅｓの場合は、液晶モニタ１２３の画面が図６の画面６０１で固定される場合の例を、示した。これに代えて、図９に示すように、Ｓ５０９１でＹｅｓの場合に、フィルタ効果範囲の方向を上下方向に切り替える処理を、コントローラ１３０に実行させてもよい（Ｓ５０８１’）。また、Ｓ５０９２でＹｅｓの場合に、フィルタ効果範囲の方向を左右方向に切り替える処理を、コントローラ１３０に実行させてもよい（Ｓ５０８２’）。
【００５９】
この構成によって、使用者が設定ダイヤル２０９を回転させることによって、上下方向と左右方向とをシームレスに切り替えることができる。すなわち、設定をスムーズに行うことができる。これにより、設定操作の利便性を向上することができる。
なお、図９では、Ｓ５０８１’及びＳ５０８２’を除く部分は、上述した実施形態と同様であるので、説明は省略した。また、Ｓ５０３において、中央釦２０４及びレリーズ釦２０１によって、設定モードが終了可能になっている。前記実施形態では、レリーズ釦２０１による設定モードの終了を明示してはいないが、レリーズ釦２０１によって設定モードを終了してもよい。
【００６０】
（Ｉ）本実施の形態のデジタルカメラ１００は、設定枠の幅を変更する機能（枠幅変更機能）を有している。この本実施の形態のデジタルカメラ１００が、設定枠の位置を変更する機能（枠位置変更機能）を、さらに有するようにしてもよい。枠位置変更機能は、コントローラ１３０によって実現される。
例えば、本実施の形態のデジタルカメラ１００では、設定ダイヤル２０９が、上記の上下方向及び左右方向とは異なる方向に操作された場合に、コントローラ１３０は、設定枠（対象領域を除く領域の一例）の位置を変更可能にする。この状態において、設定ダイヤル２０９が、上記の上下方向及び左右方向に操作された場合に、コントローラ１３０は、設定枠の位置を変更する。
【００６１】
より具体的には、コントローラ１３０が設定ダイヤル２０９の押下を検知した場合、コントローラ１３０は、枠幅変更機能をスリープして、枠位置変更機能を実行する。枠位置変更機能が機能している状態において、コントローラ１３０が設定ダイヤル２０９の回転を検知した場合、コントローラ１３０は、この回転量に応じて、設定枠を移動する。より具体的には、図１０に示すように、ジオラマフィルタが上下方向に設定されている場合、設定ダイヤル２０９が左（又は右）に回転すると、設定枠は上方に移動し（画面１６０１→画面１６０３）、設定ダイヤル２０９が右（又は左）に回転すると、設定枠は下方に移動する（画面１６０１→画面１６０２）。また、図１０に示すように、ジオラマフィルタが左右方向に設定されている場合、設定ダイヤル２０９が左（又は右）に回転すると、設定枠は左方に移動し（画面１６０４→画面１６０６）、設定ダイヤル２０９が右（又は左）に回転すると、設定枠は右方に移動する（画面１６０４→画面１６０５）。なお、コントローラ１３０が設定ダイヤル２０９の押下を再び検知した場合に、枠幅変更機能に復帰する。
【００６２】
この構成によって、使用者は、設定ダイヤル２０９を操作するだけで、設定枠を、自分が所望する位置に、容易に配置することができる。例えば、使用者は、設定ダイヤル２０９を押下し設定ダイヤル２０９を左右に回転させるのみで、設定枠の位置を、変更することができる。
（Ｊ）本実施の形態では、デジタルカメラ１００を一例として説明を行ったが、本技術は、画像処理装置に対しても適用可能である。例えば、図１１に示すように、画像データを画像処理部１２２において処理することによって、前記実施形態と同様の効果を得ることができる。
【００６３】
（Ｋ）本実施の形態のデジタルカメラ１００では、設定枠の幅が、各方向に３段階で変更される場合の例を示したが、設定枠の幅の変更は、複数であれば、４段階以上であってもよい。また、設定枠の幅を、断続的に変更するのではなく、連続的に変更するようにしてもよい。
【産業上の利用可能性】
【００６４】
本発明は、設定操作の利便性を向上可能な撮像装置を提供することができるため、動画及び静止画のいずれかを記録可能なデジタルスチルカメラ、ムービー、携帯電話等にも適用できる。
【符号の説明】
【００６５】
１００  デジタルカメラ
１１１  フォーカスレンズ
１１２  ズームレンズ
１１３  絞り
１１４  シャッター
１２０  ＣＣＤイメージセンサ
１２１  ＡＦＥ（アナログ・フロント・エンド）
１２２  画像処理部
１２３  液晶モニタ
１２４  バッファメモリ
１３０  コントローラ
１４０  メモリカード
１４１  カードスロット
１４２  フラッシュメモリ
１５０  操作部
２０１  静止画レリーズ釦
２０２  ズームレバー
２０３  電源釦
２０４  中央釦
２０５  十字釦
２０６  動画レリーズ釦
２０７  モード切替スイッチ
２０８  設定釦
２０９  設定ダイヤル
【図１】
0005906427.tif 000002
【図２】
0005906427.tif 000003
【図３】
0005906427.tif 000004
【図４】
0005906427.tif 000005
【図５】
0005906427.tif 000006
【図６】
0005906427.tif 000007
【図７】
0005906427.tif 000008
【図８】
0005906427.tif 000009
【図９】
0005906427.tif 000010
【図１０】
0005906427.tif 000011
【図１１】
0005906427.tif 000012